(57)【要約】【課題】  施設の利用者の利用状況を正確に把握し、確実に精算処理を行うことができる入退館管理システムを提供する。【解決手段】  本発明の入退館管理システム１０は、ＲＦ−ＩＤタグ１と、靴箱錠４０を有し、施設利用者の靴を収納する靴箱４ａ，４ｂ，・・・からなる靴箱部４と、Ｉ／Ｏコントローラ３５ａ，３５ｂ，３８と、ＬＡＮ３０と、ＲＦ−ＩＤ情報管理システム３と、受付端末５１、自動販売機５２、売店レジ５３、レストランレジ５４などからなる販売端末部５と、ロッカー錠２０を有する複数のロッカー２ａ、２ｂ、・・・を含むロッカー部２と、施設利用の精算を行う精算システム３１と、タグリーダ・ライター３４及びプリンタ３３と、を備えている。【選択図】  図１
2005248545.tif 000002
【特許請求の範囲】
【請求項１】
施設利用者の入退館を管理する入退館管理システムであって、
外部からエネルギーを供給されたときに電波を送信又は受信すると共に、情報を記憶できるタグと、
施設利用者の靴を収納する１以上の靴箱と、
を備え、
前記タグは、
外部からエネルギーを供給されたときに電波を送信又は受信するタグ送受信部と、
自己のタグＩＤ、対応する靴箱番号、靴箱の開錠を制御する開錠制御情報、当該タグの利用状態を表す利用情報及びフリー情報を記憶するタグ記憶部と、
を備え、
前記靴箱は、
扉の施錠を行うロック機構と、
前記タグにエネルギーを供給して、該タグから送信される電波を受信すると共に該タグに向けて電波を送信する送受信部と、
を備え、
前記靴箱は、前記ロック機構がロックされたことに応じて、前記タグ記憶部の前記開錠制御情報を開錠不可の状態にセットする電波を前記タグに送信し、前記タグ記憶部の前記開錠制御情報が開錠可能の状態の場合にのみ前記ロック機構のロック状態を解除することができる、
ことを特徴とする入退館管理システム。
【請求項２】
さらに、前記タグの情報を管理する管理部と、
インターフェースを介して前記管理部に接続された受付部を備え、
前記受付部は、前記タグのタグ記憶部の利用情報をロッカー利用の情報にセットする電波を前記タグに送信し、前記タグのタグＩＤと靴箱番号を前記タグから受信して、前記インタフェースを介して前記管理部に送信する、
ことを特徴とする請求項１記載の入退館管理システム。
【請求項３】
さらに、インターフェースを介して前記管理部と接続され、扉の施錠を行うロック機構と、タグにエネルギーを供給して該タグから送信される電波を受信すると共に該タグに向けて電波を送信する送受信部と、を有する１以上のロッカーを備え、
前記管理部は、前記タグからいずれかのロッカーの前記送受信部に送信されたタグＩＤ番号を入力し、当該ロッカーがロックされていないときには、当該ロッカーのロッカー番号に対応して前記タグＩＤ番号を記憶すると共に、所定の条件を満たす場合に当該ロッカーのロック機構に当該ロッカーをロックさせ、当該ロッカーがロックされているときには、入力されたタグＩＤ番号が記憶されているタグＩＤ番号と一致する場合に当該ロッカーのロック機構に当該ロッカーのロックを解除させる、
ことを特徴とする請求項１又は２記載の入退館管理システム。
【請求項４】
前記ロッカーは、当該ロッカーのロックに応じて、前記タグのタグ記憶部のフリー情報に当該ロッカーのロッカー番号を記憶する電波を前記タグに送信する、ことを特徴とする請求項３記載の入退館管理システム。
【請求項５】
さらに、インターフェースを介して前記管理部と接続され、施設利用の精算を行う精算部を備え、
前記精算部は、前記タグのタグＩＤに関連付けられた施設利用金額の精算に応じて、前記タグのタグ記憶部の利用情報を靴箱利用の情報にセットする電波を前記タグに送信し、前記タグ記憶部の前記開錠制御情報を開錠可能の状態にセットする電波を前記タグに送信する、
ことを特徴とする請求項１から４何れか記載の入退館管理システム。
【発明の詳細な説明】
【技術分野】
【０００１】
本発明は、日帰り温泉施設やヘルスセンター、スポーツセンターなどの不特定多数の者が利用する施設への利用者の入退館を管理する入退館管理システムに関する。特には、施設の利用者の利用状況を把握し、確実に精算処理を行うことができる入退館管理システムに関する。
【背景技術】
【０００２】
近年、日帰り温泉施設やヘルスセンター、スポーツセンターなどの不特定多数の者が利用する施設が増えており、また、その利用者の数も多くなっている。
【０００３】
この様な施設では、その利用者が快適且つ簡便に利用できるような工夫が施されている。例えば、特開２００３−３４６２４１広報には、無線電波を送受信できるタグを利用して、施設のロッカーの施錠・開錠を行い、また、利用者の施設内での利用状況を記録するなどを行っている。このような施設の場合、利用者は、先ず靴箱に自分の靴を入れて施錠し、靴箱のキーをフロント（受付）に提出して、ロッカーキー（特開２００３−３４６２４１広報の場合はタグ）と交換し、施設利用後は、フロント（受付）でロッカーキーと靴箱のキーを交換して、靴箱から靴を取り出して帰宅する。
【０００４】
このようにして、特開２００３−３４６２４１広報では、施設利用者の利用状況が記録でき、ロッカーの使用状況も集中して管理できるため、施設の利用者の残りの許容人数などもすぐに把握することができるようになっている。
【特許文献１】特開２００３−３４６２４１公報
【発明の開示】
【発明が解決しようとする課題】
【０００５】
しかしながら、特開２００３−３４６２４１広報などの従来からの施設利用者の管理方法によれば、フロント（受付）業務などに手間がかかるという問題があった。
【０００６】
また、最初から２つの靴箱を利用し、靴の入れていない靴箱のキーをフロント（受付）に提出して、ロッカーキー（特開２００３−３４６２４１広報の場合はタグ）と交換し（実際に靴を入れている靴箱のキーはそのまま所持）、施設利用後は、フロント（受付）を通らずに実際に靴を入れている靴箱のキーを使って靴箱から靴を取り出して帰宅することができるため、施設を只で利用されてしまうという問題があった。
【０００７】
従って、本発明の目的は、施設の利用者の利用状況を正確に把握し、確実に精算処理を行うことができる入退館管理システムを提供することである。
【課題を解決するための手段】
【０００８】
上記課題を解決するため、本発明の入退館管理システムは、施設利用者の入退館を管理する入退館管理システムであって、外部からエネルギーを供給されたときに電波を送信又は受信すると共に、情報を記憶できるタグと、施設利用者の靴を収納する１以上の靴箱と、を備え、タグは、外部からエネルギーを供給されたときに電波を送信又は受信するタグ送受信部と、自己のタグＩＤ、対応する靴箱番号、靴箱の開錠を制御する開錠制御情報、当該タグの利用状態を表す利用情報及びフリー情報を記憶するタグ記憶部と、を備え、靴箱は、扉の施錠を行うロック機構と、タグにエネルギーを供給して、該タグから送信される電波を受信すると共に該タグに向けて電波を送信する送受信部と、を備え、靴箱は、ロック機構がロックされたことに応じて、タグ記憶部の開錠制御情報を開錠不可の状態にセットする電波をタグに送信し、タグ記憶部の開錠制御情報が開錠可能の状態の場合にのみロック機構のロック状態を解除することができる、ことを特徴とする。
【０００９】
さらに、タグの情報を管理する管理部と、インターフェースを介して管理部に接続された受付部を備え、受付部は、タグのタグ記憶部の利用情報をロッカー利用の情報にセットする電波をタグに送信し、タグのタグＩＤと靴箱番号をタグから受信して、インタフェースを介して管理部に送信する、ことができる。
【００１０】
さらに、インターフェースを介して管理部と接続され、扉の施錠を行うロック機構と、タグにエネルギーを供給して該タグから送信される電波を受信すると共に該タグに向けて電波を送信する送受信部と、を有する１以上のロッカーを備え、管理部は、タグからいずれかのロッカーの送受信部に送信されたタグＩＤ番号を入力し、当該ロッカーがロックされていないときには、当該ロッカーのロッカー番号に対応してタグＩＤ番号を記憶すると共に、所定の条件を満たす場合に当該ロッカーのロック機構に当該ロッカーをロックさせ、当該ロッカーがロックされているときには、入力されたタグＩＤ番号が記憶されているタグＩＤ番号と一致する場合に当該ロッカーのロック機構に当該ロッカーのロックを解除させる、ことができる。
【００１１】
また、ロッカーは、当該ロッカーのロックに応じて、タグのタグ記憶部のフリー情報に当該ロッカーのロッカー番号を記憶する電波をタグに送信する、ことができる。
【００１２】
さらに、インターフェースを介して管理部と接続され、施設利用の精算を行う精算部を備え、精算部は、タグのタグＩＤに関連付けられた施設利用金額の精算に応じて、タグのタグ記憶部の利用情報を靴箱利用の情報にセットする電波をタグに送信し、タグ記憶部の開錠制御情報を開錠可能の状態にセットする電波を前記タグに送信する、ことができる。
【発明の効果】
【００１３】
本発明の入退館管理システムによれば、無線電波を送受信できる１つのタグで、施設利用者の入館から退館までを管理することができるため、施設の利用者の利用状況を正確に把握し、確実に精算処理を行うことができる。また、靴箱番号とタグＩＤ（タグの固有ＩＤ）が１対１の関係にあるため、１のタグ（鍵）が靴箱の鍵であり、ロッカ−番号をタグに保持し、タグＩＤ（タグの固有ＩＤ）をロッカ−が保持することによってフリーロッカーを実現すると共に、２個以上のロッカーの使用を禁止できる。さらに、靴箱番号とタグＩＤ（タグの固有ＩＤ）のシステムによる管理によって、タグＩＤ（タグの固有のＩＤ）及びタグに印字されたチェックデジット付きの靴箱番号も利用できるので、タグを施設内での精算の為に用いることも出来る。このため、施設内での無銭飲食等の不正を防止することができる。また、上記の靴箱及びロッカ−を管理するシステムに関しては通信で結ぶことなくそれぞれスタンドアロンで実現することができる。
【発明を実施するための最良の形態】
【００１４】
以下、図面を参照して本発明の入退館管理システムの実施の形態を説明する。
【００１５】
図１は、本発明の入退館管理システムを示す図である。この入退館管理システム１０は、外部からエネルギーを供給されたときに電波を送信又は受信すると共に、情報を記憶できるＲＦ−ＩＤタグ１と、ＲＦ−ＩＤタグ１との間で電波を送受信する靴箱錠４０を有し、施設利用者の靴を収納する靴箱４ａ，４ｂ，・・・からなる靴箱部４と、データ送受信のインターフェースであるＩ／Ｏコントローラ３５ａ，３５ｂ，３８と、施設内に敷設されたＬＡＮ（Ｌｏｃａｌ  Ａｒｅａ  Ｎｅｔｗｏｒｋ）３０と、Ｉ／Ｏコントローラ３５ａ及びＬＡＮ３０を介して靴箱４ａ，４ｂ，・・・と接続されるＲＦ−ＩＤ情報管理システム３と、Ｉ／Ｏコントローラ３５ｂ及びＬＡＮ３０を介してＲＦ−ＩＤ情報管理システム３に接続される受付端末５１、自動販売機５２、売店レジ５３、レストランレジ５４などからなる販売端末部５と、Ｉ／Ｏコントローラ３８を介してＲＦ−ＩＤ情報管理システム３に接続され、ＲＦ−ＩＤタグ１との間で電波を送受信するロッカー錠２０を有する複数のロッカー２ａ、２ｂ、・・・を含むロッカー部２と、ＬＡＮ３０を介してＲＦ−ＩＤ情報管理システム３に接続され、施設利用の精算を行う精算システム３１と、精算システム３１に接続されるタグリーダ・ライター３４及びプリンタ３３と、を備えている。
【００１６】
また、ＲＦ−ＩＤタグ１は、無線周波数（Ｒａｄｉｏ  Ｆｒｅｑｕｅｎｃｙ：ＲＦ）の電波によって自己のタグＩＤ、対応する靴箱番号、靴箱の開錠を制御する開錠制御情報、当該タグの利用状態を表す利用情報及びフリー情報等の情報を表す信号を送信及び受信できるタグであり、ＲＦ信号を送信及び受信する送受信部１１と、ＲＦ信号の送信及び受信を制御する制御部１２と、ＩＤ等の情報を記憶するメモリ１３とを含んでいる。
【００１７】
図２は、ＲＦ−ＩＤタグ１のメモリ１３の一部の記憶域を示す図である。メモリ１３には、予め対応する靴箱４ａ，４ｂ・・・の靴箱番号と自己のタグＩＤが不変情報として記憶されている。すなわち、靴箱番号と自己のタグＩＤが１対１の関係で関連付けられている。また、図２の記憶領域に示すように、ページ１の７領域（Ｐ１−７）のビットで当該ＲＦ−ＩＤタグ１の利用状態を表す利用情報（「０」が靴箱利用可能、「１」がロッカー利用可能）を示し、ページ１の６領域（Ｐ１−６）のビットで靴箱の開錠を制御する開錠制御情報（「０」開錠許可（可能）、「１」開錠禁止（不可））を示し、ロッカー錠２０の状態情報（「０」開錠中、「１」施錠中）を示し、ページ１の０〜４及びページ２の０〜７の領域がフリー情報記憶領域であり、図２の例では、ページ１の０〜２及びページ２の０〜７の領域に利用するロッカーの番号（ロッカー番号）を記憶する。また、この他に、メモリ１３には、ロッカー２ａ，２ｂ・・・利用時の暗証番号を記憶することもできる。
【００１８】
図１の販売端末部５の受付端末５１、自動販売機５２、売店レジ５３、レストランレジ５４などは、ＲＦ−ＩＤタグ１に記憶されている情報を読み取ることができるＲＦ−ＩＤタグ読取装置（タグリーダ）を備えている。ＲＦ−ＩＤタグ１は、ＲＦ−ＩＤタグ読取装置（タグリーダ）のＲＦ信号の照射圏内に入ると、ＲＦ−ＩＤタグ読取装置から送信されたＲＦ信号を受信して応答用のエネルギーを得る。ＲＦ−ＩＤタグ１は、この応答用エネルギーを利用して回路を起動し、記憶している信号をＲＦ−ＩＤタグ読取装置に送信したり、ＲＦ−ＩＤタグ読取装置から送信された信号を受信することによって情報を記憶する。一方、ＲＦ−ＩＤタグ読取装置は、ＲＦ−ＩＤタグから送信された信号を受信し、Ａ／Ｄ変換やエラーチェック等の所定の処理を施すことにより得られた情報を、Ｉ／Ｏコントローラ３５ｂ及びＬＡＮ３０を介してＲＦ−ＩＤ情報管理システム３に送信する。
【００１９】
図１に示すように、ロッカー部２に含まれる複数のロッカー２ａ、２ｂ、・・・の扉には、ロッカー錠２０がそれぞれ設けられている。ロッカー錠２０は、ＲＦ−ＩＤタグ１から受信したタグＩＤと、利用者によって入力される任意の４桁の暗証番号とを、Ｉ／Ｏコントローラ３８を介して情報管理部３のＲＦ−ＩＤ情報管理システム３に送信する。
靴箱は、前記ロック機構がロックされたことに応じて、タグ記憶部の前記開錠制御情報を開錠不可の状態にセットする電波をタグに送信し、靴箱の靴箱番号とタグのタグＩＤを管理部に送信する、ことを特徴とする。
【００２０】
受付機５１は、ＲＦ−ＩＤタグ１のメモリ１３の利用情報をロッカー利用の情報にセットする電波をＲＦ−ＩＤタグ１に送信し、ＲＦ−ＩＤタグ１のタグＩＤと靴箱番号をタグから受信して、Ｉ／Ｏコントローラ３５ｂ及びＬＡＮ３０を介してＲＦ＝ＩＤ情報管理システム３に送信する。
【００２１】
ＲＦ−ＩＤ情報管理システム３は、ＲＦ−ＩＤタグ１からいずれかのロッカーの送受信部２１に送信されたタグＩＤを入力し、当該ロッカーがロックされていないときには、当該ロッカーのロッカー番号に対応してタグＩＤを記憶すると共に、所定の条件を満たす場合に当該ロッカーのロック機構２５に当該ロッカーをロックさせ、当該ロッカーがロックされているときには、入力されたタグＩＤが記憶されているタグＩＤと一致する場合に当該ロッカーのロック機構２５に当該ロッカーのロックを解除させる。
【００２２】
また、ロッカーは、当該ロッカーのロックに応じて、ＲＦ−ＩＤタグ１のメモリ１３のフリー情報に当該ロッカーのロッカー番号を記憶する電波をＲＦ−ＩＤタグ１に送信する。
【００２３】
また精算システム３１は、ＲＦ−ＩＤタグ１のタグＩＤに関連付けられた施設利用金額の精算に応じて、ＲＦ−ＩＤタグ１のメモリ１３の利用情報を靴箱利用の情報「０」にセットする電波をタグに送信し、メモリ１３の開錠制御情報を開錠可能の状態「０」にセットする電波をＲＦ−ＩＤタグ１に送信する。
【００２４】
図３の（ａ）は、靴箱錠４０の構成を示すブロック図である。図３の（ａ）に示すように、靴箱錠２０は、ＲＦ信号を送受信する送受信部４１と、ＲＦ−ＩＤタグ１が靴箱から外されたり付けられたりすることを示す信号が入力される入力部４２と、各部を制御する制御部４３と、タグＩＤ及び靴箱番号を記憶するメモリ４４と、靴箱の扉の施錠及び解錠を行うロック機構４５とを有している。制御部４３は、インターフェース４８を介してＩ／Ｏコントローラ３５ａに接続されている。
【００２５】
Ｉ／Ｏコントローラ３５ａは、靴箱錠４０とＲＦ−ＩＤ情報管理システム３との間の情報の送受信を中継する。本実施形態においては、Ｉ／Ｏコントローラ３５ａとして、マイクロ・トーク・システムズ株式会社製のマイクロトークボックス（ＭＴＢｏｘ：商品名）を使用している。このＭＴＢｏｘにおいては、１台に対して４０個の靴箱錠４０を接続することが可能である。
【００２６】
送受信部４１は、ＲＦ−ＩＤタグ１に応答用のエネルギーを与えるための信号や、ＲＦ−ＩＤタグ１に記憶させる情報を送信すると共に、ＲＦ−ＩＤタグ１から送信されたタグＩＤ等の情報を受信する。また、入力部４２は、例えば、通常の鍵と錠であり、錠から鍵が着脱される信号が入力される。さらに、制御部４３は、送受信部４１における信号の送受信を制御すると共に、ＲＦ−ＩＤ情報管理システム３の制御の下でロック機構４５の施錠及び解錠を制御する。メモリ４４は、ＲＦ−ＩＤタグ１から送信されたタグＩＤ及び靴箱番号を記憶する。ロック機構４５は、制御部４３の制御に従って、靴箱の扉の施錠及び解錠を行う。
【００２７】
図３の（ｂ）は、靴箱錠４０の外観を示しており、靴箱錠４０がＲＦ−ＩＤタグ１から送信されるＲＦ信号を受信している様子を示している。図３の（ｂ）に示すように、ＲＦ−ＩＤタグ１と靴箱錠４０の送受信部４１間においてＲＦ信号の送受信が行われる。ここで、ＲＦ−ＩＤタグ１のベルト１ｂは、カールコードの他、Ｔ型バンドやゴムバンドでもよい。
【００２８】
図３の（ｂ）に示すように、靴箱錠４０は、施錠ツマミ４５を有している。施錠ツマミ４５は、図３の（ａ）に示すロック機構４５と連動して動作する。即ち、靴箱の扉を施錠する際には、ＲＦ−ＩＤタグ１の凸部１ａと施錠ツマミ４５の溝（凹部）４５ａを勘合して、ＲＦ−ＩＤタグ１によって施錠ツマミ４５を回転させる。これにより、図４の（ａ）に示すロック機構４５が動作し、靴箱を解錠する際には、ロック機構４５のロックが解除されると、施錠ツマミ４５を回転させることが可能になる。
【００２９】
図４の（ａ）は、ロッカー錠２０の構成を示すブロック図である。図４の（ａ）に示すように、ロッカー錠２０は、ＲＦ信号を送受信する送受信部２１と、暗証番号等を入力する入力部２２と、各部を制御する制御部２３と、ＩＤ番号及び暗証番号を記憶するメモリ２４と、ロッカーの施錠及び解錠を行うロック機構２５とを有している。制御部２３は、インターフェース２８を介してＩ／Ｏコントローラ３８に接続されている。なお、暗証番号等を入力する入力部２２を必ずしも設ける必要はないが、以下の説明では入力部２２がある場合について説明する。
【００３０】
Ｉ／Ｏコントローラ３８は、ロッカー錠２０とＲＦ−ＩＤ情報管理システム３との間の情報の送受信を中継する。本実施形態においては、Ｉ／Ｏコントローラ３８として、マイクロ・トーク・システムズ株式会社製のマイクロトークボックス（ＭＴＢｏｘ：商品名）を使用している。このＭＴＢｏｘにおいては、１台に対して４０個のロッカー錠２０を接続することが可能である。
【００３１】
送受信部２１は、ＲＦ−ＩＤタグ１に応答用のエネルギーを与えるための信号や、ＲＦ−ＩＤタグ１に記憶させるロッカー番号等の情報を送信すると共に、ＲＦ−ＩＤタグ１から送信されたタグＩＤ等の情報を受信する。また、入力部２２は、例えば、テンキーであり、利用者が任意の４桁の暗証番号を入力するために用いられる。さらに、制御部２３は、送受信部２１における信号の送受信を制御すると共に、ＲＦ−ＩＤ情報管理システム３の制御の下でロック機構２５の施錠及び解錠を制御する。メモリ２４は、ＲＦ−ＩＤタグ１から送信されたタグＩＤ及び利用者によって入力された任意の４桁の暗証番号を記憶する。ロック機構２５は、制御部２３の制御に従って、ロッカーの施錠及び解錠を行う。
【００３２】
図４の（ｂ）は、ロッカー錠２０の外観を示しており、ロッカー錠２０がＲＦ−ＩＤタグ１から送信されるＲＦ信号を受信している様子を示している。図４の（ｂ）に示すように、ＲＦ−ＩＤタグ１をロッカー錠２０の送受信部２１にかざすことにより、両者の間においてＲＦ信号の送受信が行われる。
【００３３】
図４の（ｂ）に示すように、ロッカー錠２０は、施錠ツマミ２６を有している。施錠ツマミ２６は、図４の（ａ）に示すロック機構２５と連動して動作する。即ち、ロッカーを施錠する際には、施錠ツマミ２６を回転させることによって図４の（ａ）に示すロック機構２５が動作し、ロッカーを解錠する際には、ロック機構２５のロックが解除されると、施錠ツマミ２６を回転させることが可能になる。
【００３４】
さらに、ロッカー錠２０は、利用者に喚起を促すためのランプ２７ａ〜２７ｃを有しても良い。ランプ２７ａ〜２７ｃは、例えば、例えば、発光ダイオードによって構成され、所定の場合に点灯したり点滅するように設定されている。本実施形態においては、ランプ２７ａ〜２７ｃは、次のように設定されている。即ち、青色に発光するランプ２７ａは、ＲＦ−ＩＤタグ１のタグＩＤの読み取りに成功した場合に点灯し、読み取られたタグＩＤの認証が正しく行われた場合に点滅する。また、赤色に発光するランプ２７ｂは、ＲＦ−ＩＤタグのタグＩＤの読み取りに失敗した場合に点灯し、読み取られたタグＩＤの認証が正しく行われなかった場合に点滅する。さらに、緑色に発光するランプ２７ｃは、利用者が４桁の暗証番号を入力する際に、入力された桁数に応じて点灯する。
【００３５】
ＲＦ−ＩＤ情報管理システム３は、インターフェースを介して、各ロッカー錠２０の制御部２３と接続されており、各ロッカー錠２０における施錠を管理する。即ち、ＲＦ−ＩＤ情報管理システム３は、ＲＦ−ＩＤタグ１からロッカー錠２０の送受信部２１に送信されたＩＤ番号と、当該ロッカー錠２０の入力部２２に入力された暗証番号とを入力し、当該ロッカーがロックされていないときには、当該ロッカーのロッカー番号に対応してＲＦ−ＩＤタグ１のＩＤ番号及び暗証番号を記憶する。その際に、ＲＦ−ＩＤ情報管理システム３は、ＲＦ−ＩＤタグ１に他のロッカーのロッカー番号が記憶されていない場合に、ロック機構２５にロッカーをロックさせる。また、ＲＦ−ＩＤ情報管理システム３は、当該ロッカーがロックされているときには、入力されたＲＦ−ＩＤタグ１のＩＤ番号及び暗証番号が、記憶されているタグＩＤ番号及び暗証番号とそれぞれ一致する場合に、ロック機構２５にロッカーのロックを解除させる。
【００３６】
さらに、ＲＦ−ＩＤ情報管理システム３は、ＲＦ−ＩＤタグ読取装置等によって読み取られ、Ｉ／Ｏコントローラ３５ａ、３５ｂ、・・・を介して送信された情報を収集し、利用者による施設利用状況に関する情報を管理する。ＲＦ−ＩＤ情報管理システム３は、ＣＰＵ及びメモリを有するパーソナルコンピュータと、ＣＰＵに所定の処理を行わせるためのソフトウェア（ロッカー管理プログラム、料金計算プログラムなど）とによって構成される。ソフトウェアは、フレキシブルディスク、ハードディスク、ＭＯ、ＭＴ、ＲＡＭ、ＣＤ―ＲＯＭ、又はＤＶＤ―ＲＯＭ等の記録媒体に記録することができる。
【００３７】
次に、図５〜図７を参照しながら、図１に示す入退館管理システム１０における入退館管理方法について説明する。図５は、図１に示す入退館管理システム１０における情報の流れを説明するための図である。この入退館管理方法において、施設を利用する利用者は、先ず、ＲＦ−ＩＤタグ１の付いている靴箱に自分の靴を入れる（Ｓ１１）。この時、ＲＦ−ＩＤタグ１のメモリ４３の内容は、図２を参照して、ロッカー種別（Ｐ１−７）は靴箱を示す「０」、靴箱開錠許可フラグ（Ｐ１−６）は開錠許可を示す「０」、フリーロッカー開閉フラグ（Ｐ１−５）は開錠中を示す「０」、ロッカー番号（Ｐ１−０〜２，Ｐ２−０〜８）は未使用を示す「０」で埋められている。ここで、予備領域（Ｐ１−３，４）も「０」がセットされている。
【００３８】
靴箱開錠許可フラグ（Ｐ１−６）は開錠許可を示す「０」であるので施錠ツマミ４５が動作可能であり、利用者がＲＦ−ＩＤタグ１で施錠ツマミ４５をＯＦＦからＯＮに廻すと（Ｓ１２）、ロック機構４５が働いて、靴箱の扉がロック（施錠）される（Ｓ２１）。次に、ＲＦ−ＩＤタグ１が靴箱から外されると（Ｓ１３）、所定の時間経過後（例えば、３０秒後等任意に設定できる）に靴箱開錠許可フラグ（Ｐ１−６）は開錠禁止を示す「１」にセットされる（Ｓ２２）。
【００３９】
利用者は、受付機５１で受付処理を行い、ロッカーの利用が可能になる。ここで、受付処理により、ロッカー種別（Ｐ１−７）はロッカー利用可能を示す「１」にセットされる。
【００４０】
図６は、ロッカーの施錠処理（Ｓ２３）を示すフローチャートである。ロッカーを施錠する際に、利用者は、ステップＳ３１において、空いているロッカーの中から使用するロッカーを選択し、ロッカー錠２０のテンキー（入力部）２２を用いて、任意の４桁の暗証番号を入力する。これに応じて、ＲＦ−ＩＤ情報管理システム３は、ステップＳ４１において、入力された暗証番号を記憶する。
【００４１】
次に、利用者は、ステップＳ３２において、図４の（ｂ）に示すように、ロッカー錠２０の送受信部２１にＲＦ−ＩＤタグ１をかざす。これに応じて、ＲＦ−ＩＤ情報管理システム３は、ステップＳ４２において、かざされたＲＦ−ＩＤタグ１のタグＩＤを読み取り、そのタグＩＤを登録する。また、ステップＳ４３において、ＲＦ−ＩＤ情報管理システム３は、ステップＳ４１において記憶した暗証番号を登録する。さらに、ステップＳ４４において、ＲＦ−ＩＤ情報管理システム３は、ロッカー番号及び暗証番号をＲＦ−ＩＤタグ１に送信する。これに応じて、利用者が携帯するＲＦ−ＩＤタグ１のメモリ１３のロッカー番号領域（図２：Ｐ１−０〜２，Ｐ２−０〜８）に、そのロッカー番号が書き込まれる。ここで、同時に所定の領域に暗証番号を書き込むようにする。さらに、利用者は、ステップＳ３３において、施錠ツマミ２６を回転させると、ロッカー錠２０がロックされる（ステップＳ４５）。
【００４２】
ここで、ＲＦ−ＩＤ情報管理システム３は、ステップＳ４２においてＲＦ−ＩＤタグ１のタグＩＤを読み取る際に、既に他のロッカー番号が登録されているか否かを読み取るようにしても良い。既に他のロッカー番号が登録されている場合、即ち、その利用者が既に他のロッカーを使用している場合には、そのＲＦ−ＩＤタグ１によるロッカーの使用を拒否する。これにより、１人の利用者が複数のロッカーを使用することができなくなる。
【００４３】
利用者は、施設の利用を行い（Ｓ１４）、その最中に、例えば、商品の購入やレストラン利用などの支払いが生じた場合（Ｓ１５）には、その代金とタグＩＤ又は靴箱番号がＲＦ−ＩＤ情報管理システム３に入力され管理される（Ｓ２４）。施設の利用を終了するときには、ロッカーを解錠する（Ｓ２５）。
【００４４】
図７は、ロッカー解錠処理（Ｓ２５）を示すフローチャートである。ロッカーを解錠する際に、利用者は、ステップＳ５１において、ロッカー錠２０のテンキー２２を用いて、施錠時に登録された４桁の暗証番号を入力する。これに応じて、ＲＦ−ＩＤ情報管理システム３は、ステップＳ６１において、暗証番号を記憶する。
【００４５】
次に、利用者は、ステップＳ５２において、自分が使用しているロッカーのロッカー錠２０にＲＦ−ＩＤタグ１をかざす。これに応じて、ＲＦ−ＩＤ情報管理システム３は、ステップＳ６２において、かざされたＲＦ−ＩＤタグのタグＩＤを読み取り、施錠時に登録されたタグＩＤを参照して認証を行う。ステップＳ６３において、ＲＦ−ＩＤ情報管理システム３は、タグＩＤの認証が正しく行われなかった場合には、その旨を利用者に通知する（ステップＳ６４）。この際に、ＲＦ−ＩＤ情報管理システム３は、図４の（ｂ）に示すランプ２７ｂを点灯させて警告する。
【００４６】
一方、タグＩＤの認証が正しく行われた場合には、ステップＳ６５において、ＲＦ−ＩＤ情報管理システム３は、ステップＳ６１において記憶した暗証番号の認証を行う。ステップＳ６６において、ＲＦ−ＩＤ情報管理システム３は、暗証番号の認証が正しく行われなかった場合に、その旨を利用者に通知する（ステップＳ６７）。この際に、ＲＦ−ＩＤ情報管理システム３は、図４の（ｂ）に示すランプ２７ｂを点灯させて警告する。また、ＲＦ−ＩＤ情報管理システム３は、利用者に対して、暗証番号の入力をやり直すように通知しても良い。
【００４７】
暗証番号の認証が正しく行われた場合に、ＲＦ−ＩＤ情報管理システム３は、ステップＳ６８において、ロックを解除する。さらに、ステップＳ６９において、ＲＦ−ＩＤ情報管理システム３は、登録されているタグＩＤ及び４桁の暗証番号を消去する。また、ステップＳ７０において、ＲＦ−ＩＤ情報管理システム３は、メモリを消去させる信号をＲＦ−ＩＤタグ１に送信する。これに応じて、利用者が携帯するＲＦ−ＩＤタグ１のメモリ１３に記憶されているロッカー番号及び暗証番号が消去される。すなわち、ロッカー番号（図２：Ｐ１−０〜２，Ｐ２−０〜８）は未使用を示す「０」で埋められる。
【００４８】
ここで、利用者が、自分が使用しているロッカー番号を忘れてしまった場合には、別途設置されている検索用の端末に暗証番号を入力すると共に、この端末に接続されているタグリーダにＲＦ−ＩＤタグ１をかざしてみることにより、自分が使用しているロッカーを探すことができる。又は、暗証番号を忘れた場合には、フロントの係員に依頼して、ロッカーの施錠時にＲＦ−ＩＤタグ１に登録されたロッカー番号及び暗証番号を知ることができる。
【００４９】
また、ステップＳ６３又はＳ６６において、ＲＦ−ＩＤ情報管理システム３は、タグＩＤ又は暗証番号の認証に失敗した場合に、ランプを点灯して警告すると共に、警告音を発するようにしても良い。或いは、ステップＳ６６において、ＲＦ−ＩＤ情報管理システム３は、暗証番号の認証に、所定の回数失敗した場合には、その旨をＲＦ−ＩＤ情報管理システム３の管理者に通知するようにしても良い。
【００５０】
このように、本実施形態によれば、ロッカーを解錠するために、ＲＦ−ＩＤタグ１のタグＩＤ及び暗証番号の認証を必要とするので、ロッカーのセキュリティ性を二重に高めることができる。
【００５１】
利用者が、精算システム３１のタグリーダ・ライター３４にＲＦ−ＩＤタグ１をかざすと、利用情報がＲＦ−ＩＤ情報管理システム３から精算システム３１に読み込まれ、利用代金が算出される。利用者が、精算システム３１で精算を済ませると（Ｓ１６）、領収書がプリンタ３３から印刷され、タグリーダ・ライター３４からの電波により、ＲＦ−ＩＤタグ１のメモリ１３のロッカー種別（Ｐ１−７）は靴箱を示す「０」にリセットされる。また、次に、ＲＦ−ＩＤタグ１が靴箱に施錠されると、靴箱開錠許可フラグ（Ｐ１−６）は開錠許可を示す「０」にリセットされる（Ｓ２６）。これにより、靴箱の開錠が可能となる。すなわち、精算システム３１による精算を済ませなければ、靴箱開錠許可フラグ（Ｐ１−６）が開錠許可を示す「０」にリセットされないため、施設内での無銭飲食等の不正を防止することができる。
【００５２】
靴箱開錠許可フラグ（Ｐ１−６）は開錠許可を示す「０」であるので、施錠ツマミ４５が動作可能であり、利用者がＲＦ−ＩＤタグ１で施錠ツマミ４５をＯＮからＯＦＦに廻すと（Ｓ１７）、ロック機構４５が働いて、靴箱の扉が開錠される（Ｓ２７）。利用者は、靴箱から靴を取り出して施設を退館することができる（Ｓ１８）。
【００５３】
以上、本発明の入退館管理システムについて説明したが、図１において、靴箱部５やロッカー部２を独立したシステムとして構築することができる。即ち、Ｉ／Ｏコントローラ３５ａをなくして、靴箱部５の夫々の靴箱４ａ，４ｂ・・・に設けられた靴箱錠４０を独立稼動させ、ＲＦ−ＩＤタグ１の制御を行なうようにすることができる。さらに、ロッカー部２の制御をＲＦ−ＩＤ情報管理システム３で行なっているが、このロッカー部２を制御し管理するシステム部分を独立システムとして構築し、ＲＦ−ＩＤ情報管理システム３がロッカー部２の制御や管理を行なわないようにすることもできる。このような場合においても、図５〜７に示したフローチャートのような処理を行うことができる。
【００５４】
以上のように、本発明の入退館管理システムによれば、無線電波を送受信できる１つのタグで、施設利用者の入館から退館までを管理することができるため、施設の利用者の利用状況を正確に把握し、確実に精算処理を行うことができる。また、靴箱番号とタグＩＤ（タグの固有ＩＤ）が１対１の関係にあるため、１のタグ（鍵）が靴箱の鍵であり、ロッカ−番号をタグに保持し、タグＩＤ（タグの固有ＩＤ）をロッカ−が保持することによってフリーロッカーを実現すると共に、２個以上のロッカーの使用を禁止できる。さらに、靴箱番号とタグＩＤ（タグの固有ＩＤ）のシステムによる管理によって、タグＩＤ（タグの固有のＩＤ）及びタグに印字されたチェックデジット付きの靴箱番号も利用できるので、タグを施設内での精算の為に用いることも出来る。このため、施設内での無銭飲食等の不正を防止することができる。また、上記の靴箱及びロッカ−を管理するシステムに関しては通信で結ぶことなくそれぞれスタンドアロンで実現することができる。
【図面の簡単な説明】
【００５５】
【図１】本発明の入退館管理システムを示す図である。
【図２】ＲＦ−ＩＤタグ１のメモリ１３の一部の記憶域を示す図である。
【図３】図３の（ａ）は、靴箱錠４０の構成を示すブロック図であり、図３の（ｂ）は、靴箱錠４０の外観を示す図である。
【図４】図４の（ａ）は、ロッカー錠２０の構成を示すブロック図であり、図４の（ｂ）は、ロッカー錠２０の外観を示す図である。
【図５】図１に示す入退館管理システム１０における情報の流れを説明するための図である。
【図６】ロッカーの施錠処理（Ｓ２３）を示すフローチャートである。
【図７】ロッカーの開錠処理（Ｓ２５）を示すフローチャートである。
【符号の説明】
【００５６】
１  ＲＦ―ＩＤタグ
１ａ  凸部
１ｂ  ベルト
２  ロッカー部
２ａ，２ｂ  ロッカー
３  ＲＦ−ＩＤ情報管理システム
４  靴箱部
４ａ，４ｂ  靴箱
５  販売端末部
２０  ロッカー錠
３０  ＬＡＮ
３１  精算システム
３３  プリンタ
３４  タグリーダ・ライター
３５ａ，３５ｂ，３８  Ｉ／Ｏコントローラ
４０  靴箱錠
５１  受付端末
５２  自動販売機
５３売店レジ
５４  レストランレジ
【図１】
2005248545.tif 000003
【図２】
2005248545.tif 000004
【図３】
2005248545.tif 000005
【図４】
2005248545.tif 000006
【図５】
2005248545.tif 000007
【図６】
2005248545.tif 000008
【図７】
2005248545.tif 000009